【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
少なくとも植物を栽培可能な植栽部と、該植栽部に対して着脱自在で水分を貯水可能な貯水部と、該貯水部内の水分を該植栽部へ導水する導水部材とを有する緑化ユニットを、高さ方向へ間隔を開けて設けられる支持部にそれぞれ設置して、複数の緑化ユニットを高さ方向へ設置する緑化構造であって、該植栽部と該貯水部との間に給水管を配設することを特徴とする緑化構造。
【請求項２】
前記貯水部を係止部で係止して設置し、該係止部を中心に回動自在とすることを特徴とする請求項１記載の緑化構造。
【請求項３】
少なくとも植物を栽培可能な植栽部と、該植栽部に蝶番で取り付けられ、水分を貯水可能な貯水部と、該貯水部内の水分を該植栽部へ導水する導水部材とを有する緑化ユニットを、高さ方向へ間隔を開けて設けられる支持部にそれぞれ設置して、複数の緑化ユニットを高さ方向へ設置する緑化構造であって、該貯水部が該蝶番を中心に回動自在であると共に、該植栽部と該貯水部との間に給水管を配設することを特徴とする緑化構造。
【請求項４】
前記係止部又は前記蝶番が、前記植栽部と前記貯水部の後面壁に設けられ、
前記係止部又は前記蝶番を中心とする回動により、前記貯水部が前方側で開放することを特徴とする請求項２又は３記載の緑化構造。
【請求項５】
前記緑化ユニットを前方に傾斜させて配置し、該緑化ユニットの導水部材を該傾斜の低い位置に配置することを特徴とする請求項乃至４の何れかに記載の緑化構造。
【請求項６】
前記貯水部を側壁と底面を有する略箱形とし、両側の該側壁に凹部を形成し、該凹部に給水管を配設することを特徴とする請求項１乃至５の何れかに記載の緑化構造。
【請求項７】
前記凹部が前記側壁の略中央よりも前方に位置することを特徴とする請求項６記載の緑化構造。
【請求項８】
前記植栽部の前面壁に該植栽部の底面より下方に延びた部分を形成し、該下方に延びた部分と前記貯水部の前面壁とを固定することを特徴とする請求項１乃至７の何れかに記載の緑化構造。
【請求項９】
請求項１乃至８の何れかに記載の緑化構造を横方向に複数設け、横に並ぶ緑化ユニットに一連で給水管を連通することを特徴とする緑化設備。
【請求項１０】
請求項１乃至８の何れかに記載の緑化構造の施工方法、又は請求項９記載の緑化設備の施工方法において、前記緑化ユニットに予め植栽を施す第一工程と、該緑化ユニットのそれぞれを前記支持部に設置する第二工程と、前記給水管を配設する第三工程とを有することを特徴とする緑化構造の施工方法、又は緑化設備の施工方法。
【請求項１１】
少なくとも植物を栽培可能な植栽部と、該植栽部に回動自在に取り付けられ、水分を貯水可能な貯水部と、該貯水部内の水分を該植栽部へ導水する導水部材とを有し、該貯水部の側壁に給水管を配設可能な凹部を形成することを特徴とする緑化ユニット。
【手続補正２】
【補正対象書類名】明細書
【補正対象項目名】００１１
【補正方法】変更
【補正の内容】
【００１１】
更に、本発明の緑化構造は、前記緑化ユニットを前方に傾斜させて設置し、該緑化ユニットの導水部材を該傾斜の低い位置に配置することを特徴とし、例えば導水部材を給水管よりも勾配の低い位置に設ける。好適には、緑化ユニットを略水平にした状態と前記傾斜して設置した状態の両状態で、導水部材の下端が貯水部底面の最下端近傍に位置するように構成するとよい。また、給水管は前記傾斜の高い位置に設ける構成とすると、常時給水管が水分に浸かって給水管が腐食すること等を防止し、給水管からの良好な給水を維持することができて好適である。また、本発明の緑化構造は、前記貯水部を係止部で係止して設置し、該係止部を中心に回動自在とすることを特徴とする。例えば貯水部の前面或いは後面の側壁上端に内方へ向かって鉤状の係止片を形成し、植栽部の前面或いは後面又は植栽部の底部より下側の前面或いは後面の係止穴に係止片を挿入して係止し、前記係止穴或いは係止穴と係止片で構成される係止部を中心に、貯水部を回動自在にする。好適には、貯水部を後面側の係止部で係止し、前記係止部を中心に貯水部を回動自在として、貯水部が前面側で開閉する構成とすると、給水管の配設等の作業が行いやすくなって良好である。
【手続補正３】
【補正対象書類名】明細書
【補正対象項目名】００１２
【補正方法】変更
【補正の内容】
【００１２】
また、本発明の緑化構造は、少なくとも植物を栽培可能な植栽部と、該植栽部に蝶番で取り付けられ、水分を貯水可能な貯水部と、該貯水部内の水分を該植栽部へ導水する導水部材とを有する緑化ユニットを、高さ方向へ間隔を開けて設けられる支持部にそれぞれ設置して、複数の緑化ユニットを高さ方向へ設置する緑化構造であって、該貯水部が該蝶番を中心に回動自在であると共に、該植栽部と該貯水部との間に給水管を配設することを特徴とする。更に、本発明の緑化構造は、前記係止部又は前記蝶番が、前記植栽部と前記貯水部の後面壁に設けられ、前記係止部又は前記蝶番を中心とする回動により、前記貯水部が前方側で開放することを特徴とする。更に、前記構成では、前記緑化ユニットを前方に傾斜させて設置し、該緑化ユニットの導水部材を該傾斜の低い位置に配置すると好適である。
【手続補正４】
【補正対象書類名】明細書
【補正対象項目名】００１３
【補正方法】変更
【補正の内容】
【００１３】
更に、本発明の緑化構造は、前記貯水部を側壁と底面を有する略箱形とし、両側の該側壁に凹部を形成し、該凹部に給水管を配設することを特徴とする。前記凹部は前記側壁の略中央よりも前方に位置するように構成とすると好適である。 更に、本発明の緑化構造は、前記植栽部の両側に底部より下方へ延びる脚壁を形成し、該脚壁の下方に凹部を形成し、該凹部に給水管を配設することを特徴とする。好適には、植栽部を、底面より下方に貯水部を収納可能であり且つ底面より下方に延びて貯水部の前面と両側面を覆う脚壁を有するものとすると好適である。また、本発明の緑化構造は、前記植栽部の前面壁に該植栽部の底面より下方に延びた部分を形成し、該下方に延びた部分と前記貯水部の前面壁とを固定することを特徴とする。
【手続補正５】
【補正対象書類名】明細書
【補正対象項目名】００１６
【補正方法】変更
【補正の内容】
【００１６】
また、本発明の緑化設備は、本発明の緑化構造を横方向に複数設け、横に並ぶ緑化ユニットに一連で給水管を連通することを特徴とする。更に、本発明の緑化設備は、本発明の緑化構造を横方向に複数設け、横に並ぶ緑化ユニットに一連で給水管を連通しながら、上端且つ横端に位置する緑化ユニットから下端且つ横端に位置する緑化ユニットへ蛇行して給水管を配設することを特徴とし、横の緑化ユニットを優先して給水管を配設していき、蛇行しながら全ての緑化ユニットに給水管を一連で配設する。尚、例えば給水管の本管から分岐する分岐管を横方向に並ぶ緑化ユニットに連通し、各高さの緑化ユニット毎に一連の分岐管を挿通する構成等としてもよい。また、緑化設備は、例えば支持器具に緑化ユニットを配設する緑化構造物を左右に複数並設するものや、壁面の高さ方向に間隔を開けて設けられた支持部に緑化ユニットを設置する緑化構造を左右に並べて設けるもの等とする。
【手続補正６】
【補正対象書類名】明細書
【補正対象項目名】００１９
【補正方法】変更
【補正の内容】
【００１９】
また、本発明の緑化ユニットは、少なくとも植物を栽培可能な植栽部と、該植栽部に回動自在に取り付けられ、水分を貯水可能な貯水部と、該貯水部内の水分を該植栽部へ導水する導水部材とを有し、該貯水部の側壁に給水管を配設可能な凹部を形成することを特徴とする。また、本発明の緑化ユニットは、少なくとも植物を栽培可能な植栽部と、該植栽部に対して着脱自在で水分を貯水可能な貯水部と、該貯水部内の水分を該植栽部へ導水する導水部材とを有し、該貯水部を回動自在に係止部で係止して設置すると共に、該貯水部の側壁に給水管を配設可能な凹部を形成することを特徴とする。